(57)【特許請求の範囲】
【請求項１】
充電装置によって充電される蓄電池と、
前記蓄電池を備える蓄電装置と前記充電装置とを着脱可能に接続させる第１接続器と、
情報端末と無線通信する第１通信器と、
前記第１接続器を介して前記蓄電装置が前記充電装置に装着されている時に前記充電装置と有線通信する第２通信器と、
前記充電装置が特定のアクセスポイントと無線接続を確立するための無線設定値を前記情報端末から前記第１通信器が受信すると、前記第２通信器に前記無線設定値を前記充電装置へ送信させる制御器とを備える
蓄電装置。
【請求項２】
前記第１通信器は、ＢＬＥ（Ｂｌｕｅｔｏｏｔｈ（登録商標）  Ｌｏｗ  Ｅｎｅｒｇｙ）通信を行う通信器である、
請求項１記載の蓄電装置。
【請求項３】
前記制御器は、前記特定のアクセスポイントの情報を前記充電装置から前記第２通信器が受信すると、前記第１通信器に前記特定のアクセスポイントの情報を前記情報端末へ送信させる、
請求項１または２に記載の蓄電装置。
【請求項４】
充電装置が特定のアクセスポイントと無線接続を確立するための無線設定値を情報端末から前記情報端末と無線通信する、蓄電装置に設けられた第１通信器を介して受信するステップと、
当該蓄電装置と前記充電装置とを着脱可能に接続させる第１接続器を介して、前記蓄電装置が前記充電装置に装着されている時に前記充電装置と有線通信する、前記蓄電装置に設けられた第２通信器を介して、前記無線設定値を前記充電装置へ送信するステップとを備える、
蓄電装置の制御方法。
【請求項５】
前記第１通信器は、ＢＬＥ（Ｂｌｕｅｔｏｏｔｈ（登録商標）  Ｌｏｗ  Ｅｎｅｒｇｙ）通信を行う通信器である、
請求項４記載の蓄電装置の制御方法。
【請求項６】
さらに、
前記特定のアクセスポイントの情報を前記充電装置から前記第２通信器を介して受信するステップと、
前記第１通信器を介して、前記特定のアクセスポイントの情報を前記情報端末へ送信するステップとを備える、
請求項４または５に記載の蓄電装置の制御方法。
【請求項７】
蓄電装置に電力を供給して、前記蓄電装置を充電させる充電器と、
前記充電器を備える充電装置と前記蓄電装置とを着脱可能に接続させる第２接続器と、
前記第２接続器を介して前記蓄電装置が前記充電装置に装着されている時に前記蓄電装置と有線通信する第３通信器と、
アクセスポイントと無線通信する第４通信器と、
前記充電装置が特定のアクセスポイントと無線接続を確立するための無線設定値を前記蓄電装置から前記第３通信器が受信すると、前記無線設定値を用いて、前記第４通信器に前記特定のアクセスポイントとの無線接続を確立させる制御器とを備える
充電装置。
【請求項８】
前記第４通信器は、Ｗｉ−Ｆｉ（登録商標）通信を行う通信器である、
請求項７記載の充電装置。
【請求項９】
前記制御器は、前記特定のアクセスポイントの情報を前記特定のアクセスポイントから前記第４通信器が受信すると、前記第３通信器に前記特定のアクセスポイントの情報を前記蓄電装置へ送信させる、
請求項７または８に記載の充電装置。
【請求項１０】
充電装置が特定のアクセスポイントと無線接続を確立するための無線設定値を、前記充電装置と蓄電装置とを着脱可能に接続させる第２接続器を介して前記蓄電装置が前記充電装置に装着されている時に前記蓄電装置と有線通信する、前記充電装置に設けられた第３通信器を介して、前記蓄電装置から受信するステップと、
前記無線設定値を用いて、アクセスポイントと無線通信する、前記充電装置に設けられた第４通信器に前記特定のアクセスポイントとの無線接続を確立させるステップとを備える
充電装置の制御方法。
【請求項１１】
前記第４通信器は、Ｗｉ−Ｆｉ（登録商標）通信を行う通信器である、
請求項１０記載の充電装置の制御方法。
【請求項１２】
さらに、
前記特定のアクセスポイントの情報を前記特定のアクセスポイントから前記第４通信器を介して受信するステップと、
前記第３通信器を介して、前記特定のアクセスポイントの情報を前記蓄電装置へ送信するステップとを備える、
請求項１０または１１に記載の充電装置の制御方法。
【請求項１３】
充電装置と、前記充電装置に装着される蓄電装置とを備える無線接続設定システムであって、
前記蓄電装置は、
前記充電装置によって充電される蓄電池と、
前記蓄電池を備える蓄電装置と前記充電装置とを着脱可能に接続させる第１接続器と、
情報端末と無線通信する第１通信器と、
前記第１接続器を介して前記蓄電装置が前記充電装置に装着されている時に前記充電装置と有線通信する第２通信器と、
前記充電装置が特定のアクセスポイントと無線接続を確立するための無線設定値を前記情報端末から前記第１通信器が受信すると、前記第２通信器に前記無線設定値を前記充電装置に送信させる第１制御器とを備え、
前記充電装置は、
前記蓄電装置に電力を供給して、前記蓄電装置を充電させる充電器と、
前記充電器を備える充電装置と前記蓄電装置とを着脱可能に接続させる第２接続器と、
前記第２接続器を介して前記蓄電装置が前記充電装置に装着されている時に前記蓄電装置と有線通信する第３通信器と、
アクセスポイントと無線通信する第４通信器と、
前記無線設定値を前記蓄電装置から前記第３通信器が受信すると、前記無線設定値を用いて、前記第４通信器に前記特定のアクセスポイントとの無線接続を確立させる第２制御器とを備える、
無線接続設定システム。
【請求項１４】
前記第１通信器の消費電力は、前記第４通信器の消費電力よりも小さい、
請求項１３記載の無線接続設定システム。
【請求項１５】
前記第１通信器は、ＢＬＥ（Ｂｌｕｅｔｏｏｔｈ（登録商標）  Ｌｏｗ  Ｅｎｅｒｇｙ）通信を行う通信器であり、
前記第４通信器は、Ｗｉ−Ｆｉ（登録商標）通信を行う通信器である、
請求項１４記載の無線接続設定システム。
【請求項１６】
前記第２制御器は、前記特定のアクセスポイントの情報を前記特定のアクセスポイントから前記第４通信器が受信すると、前記第３通信器に前記特定のアクセスポイントの情報を前記蓄電装置へ送信させ、
前記第１制御器は、前記特定のアクセスポイントの情報を前記充電装置から前記第２通信器が受信すると、前記第１通信器に前記特定のアクセスポイントの情報を前記情報端末へ送信させる、
請求項１３〜１５のいずれか１項に記載の無線接続設定システム。
【発明の詳細な説明】
【技術分野】
【０００１】
本開示は、蓄電装置、蓄電装置の制御方法、充電装置、充電装置の制御方法、および、無線接続設定システムに関する。
【背景技術】
【０００２】
従来、蓄電装置を充電するための様々な充電システムが提案されている。特許文献１に記載の充電システムは、その一例である。
【先行技術文献】
【特許文献】
【０００３】
【特許文献１】特開２００４−２２２４５７号公報
【発明の概要】
【発明が解決しようとする課題】
【０００４】
しかしながら、このような充電システムにおいて、無線通信を利用するための環境を構築することは容易ではない。
【０００５】
上記事情を鑑み、例示的な実施の形態は、無線通信を利用するための環境の構築を支援することができる蓄電装置等を提供する。
【課題を解決するための手段】
【０００６】
本開示の一態様に係る蓄電装置は、充電装置によって充電される蓄電池と、前記蓄電池を備える蓄電装置と前記充電装置とを着脱可能に接続させる第１接続器と、情報端末と無線通信する第１通信器と、前記第１接続器を介して前記蓄電装置が前記充電装置に装着されている時に前記充電装置と有線通信する第２通信器と、前記充電装置が特定のアクセスポイントと無線接続を確立するための無線設定値を前記情報端末から前記第１通信器が受信すると、前記第２通信器に前記無線設定値を前記充電装置へ送信させる制御器とを備える。
【０００７】
なお、これらの包括的または具体的な態様は、システム、装置、方法、集積回路、コンピュータプログラム、または、コンピュータ読み取り可能なＣＤ−ＲＯＭなどの非一時的な記録媒体で実現されてもよく、システム、装置、方法、集積回路、コンピュータプログラムおよび記録媒体の任意な組み合わせで実現されてもよい。
【発明の効果】
【０００８】
本開示の一態様に係る蓄電装置等によって、無線通信を利用するための環境の構築が支援される。
【図面の簡単な説明】
【０００９】
【図１】図１は、実施の形態における無線接続設定システムを示すブロック図である。
【図２】図２は、実施の形態における蓄電装置の第１動作例を示すフローチャートである。
【図３】図３は、実施の形態における充電装置の第１動作例を示すフローチャートである。
【図４】図４は、実施の形態における蓄電装置の第２動作例を示すフローチャートである。
【図５】図５は、実施の形態における充電装置の第２動作例を示すフローチャートである。
【図６】図６は、実施の形態の第１具体例における無線接続設定システムを示すブロック図である。
【図７】図７は、実施の形態の第１具体例における蓄電装置および充電装置等の動作を示すシーケンス図である。
【図８】図８は、実施の形態の第１具体例における蓄電装置および充電装置等の動作を示す概念図である。
【図９】図９は、実施の形態の第２具体例における無線接続設定システムを示すブロック図である。
【図１０】図１０は、実施の形態の第２具体例における蓄電装置および充電装置等の動作を示すシーケンス図である。
【図１１】図１１は、実施の形態の第２具体例における蓄電装置および充電装置等の動作を示す概念図である。
【発明を実施するための形態】
【００１０】
（本開示の基礎となった知見）
本発明者は、蓄電装置および充電装置等を備えるシステムにおける無線通信の利用に関し、検討によって課題を見出した。以下、具体的に説明する。
【００１１】
近年、蓄電装置で動作する電気機器が普及している。電動アシスト自転車は、その一例である。例えば、電気機器の利用者は、電気機器を動作させるための蓄電装置を購入し、購入した蓄電装置で電気機器を動作させる。最近では、電気機器の利用者が、電気機器を動作させるための蓄電装置を借りて、借りた蓄電装置で電気機器を動作させることを可能にするための蓄電装置の貸与システムも検討され始めている。
【００１２】
これらの蓄電装置を適切に管理するためには、蓄電装置の状態を示す電池情報を収集することが求められる。一方で、蓄電装置は消耗品であるため、性能が高い通信器を蓄電装置に実装することは不適切である。そこで、充電装置を介して電池情報を収集することが検討されている。例えば、アクセスポイントと無線通信を行うための通信器が充電装置に実装されてもよい。
【００１３】
しかしながら、操作インタフェースを備えていない充電装置に対してアクセスポイントと無線通信を行うための設定を行い、無線通信を利用するための環境を構築することは容易ではない。
【００１４】
そこで、本開示の第１態様に係る蓄電装置は、充電装置によって充電される蓄電池と、前記蓄電池を備える蓄電装置と前記充電装置とを着脱可能に接続させる第１接続器と、情報端末と無線通信する第１通信器と、前記第１接続器を介して前記蓄電装置が前記充電装置に装着されている時に前記充電装置と有線通信する第２通信器と、前記充電装置が特定のアクセスポイントと無線接続を確立するための無線設定値を前記情報端末から前記第１通信器が受信すると、前記第２通信器に前記無線設定値を前記充電装置へ送信させる制御器とを備える。
【００１５】
これにより、蓄電装置は、充電装置が特定のアクセスポイントとの無線接続を確立するための無線設定値を情報端末から受信し、その無線設定値を充電装置へ送信することができる。したがって、蓄電装置は、充電装置が特定のアクセスポイントとの無線接続を確立することを適切に支援することができ、無線通信を利用するための環境の構築を適切に支援することができる。
【００１６】
本開示の第２態様は、上記第１態様の蓄電装置において、例えば、前記第１通信器は、ＢＬＥ（Ｂｌｕｅｔｏｏｔｈ（登録商標）  Ｌｏｗ  Ｅｎｅｒｇｙ）通信を行う通信器でもよい。
【００１７】
これにより、蓄電装置は、ＢＬＥ通信によって、情報端末と通信することができる。ＢＬＥ通信のための消費電力は比較的小さい。したがって、蓄電装置は、消費電力の増加を抑制しつつ、情報端末と通信することができる。
【００１８】
また、本開示の第３態様の蓄電装置は、上記第１態様または第２態様の蓄電装置において、例えば、前記制御器は、前記特定のアクセスポイントの情報を前記充電装置から前記第２通信器が受信すると、前記第１通信器に前記特定のアクセスポイントの情報を前記情報端末へ送信させてもよい。
【００１９】
これにより、蓄電装置は、特定のアクセスポイントの情報を充電装置から受信し、特定のアクセスポイントの情報を情報端末へ送信することができる。したがって、蓄電装置は、特定のアクセスポイントの情報を情報端末へ知らせることができる。そして、蓄電装置は、特定のアクセスポイントの情報を情報端末へ送信した後、情報端末から無線設定値を受信することができる。したがって、蓄電装置は、適切なタイミングで、情報端末から無線設定値を受信することができる。
【００２０】
また、本開示の第４態様に係る蓄電装置の制御方法は、充電装置が特定のアクセスポイントと無線接続を確立するための無線設定値を情報端末から前記情報端末と無線通信する、蓄電装置に設けられた第１通信器を介して受信するステップと、当該蓄電装置と前記充電装置とを着脱可能に接続させる第１接続器を介して、前記蓄電装置が前記充電装置に装着されている時に前記充電装置と有線通信する、前記蓄電装置に設けられた第２通信器を介して、前記無線設定値を前記充電装置へ送信するステップとを備える。
【００２１】
これにより、蓄電装置は、充電装置が特定のアクセスポイントとの無線接続を確立するための無線設定値を情報端末から受信し、無線設定値を充電装置へ送信することができる。したがって、蓄電装置は、充電装置が特定のアクセスポイントとの無線接続を確立することを適切に支援することができ、無線通信を利用するための環境の構築を適切に支援することができる。
【００２２】
本開示の第５態様の蓄電装置の制御方法は、上記第４態様の蓄電装置の制御方法において、例えば、前記第１通信器は、ＢＬＥ（Ｂｌｕｅｔｏｏｔｈ（登録商標）  Ｌｏｗ  Ｅｎｅｒｇｙ）通信を行う通信器でもよい。
【００２３】
これにより、蓄電装置は、ＢＬＥ通信によって、情報端末と通信することができる。ＢＬＥ通信のための消費電力は比較的小さい。したがって、蓄電装置は、消費電力の増加を抑制しつつ、情報端末と通信することができる。
【００２４】
また、本開示の第６態様の蓄電装置の制御方法は、上記第４態様または第５態様の蓄電装置の制御方法において、例えば、前記蓄電装置の制御方法は、さらに、前記特定のアクセスポイントの情報を前記充電装置から前記第２通信器を介して受信するステップと、前記第１通信器を介して、前記特定のアクセスポイントの情報を前記情報端末へ送信するステップとを備えてもよい。
【００２５】
これにより、蓄電装置は、特定のアクセスポイントの情報を充電装置から受信し、特定のアクセスポイントの情報を情報端末へ送信することができる。したがって、蓄電装置は、特定のアクセスポイントの情報を情報端末へ知らせることができる。そして、蓄電装置は、特定のアクセスポイントの情報を情報端末へ送信した後、情報端末から無線設定値を受信することができる。したがって、蓄電装置は、適切なタイミングで、情報端末から無線設定値を受信することができる。
【００２６】
また、本開示の第７態様に係る充電装置は、蓄電装置に電力を供給して、前記蓄電装置を充電させる充電器と、前記充電器を備える充電装置と前記蓄電装置とを着脱可能に接続させる第２接続器と、前記第２接続器を介して前記蓄電装置が前記充電装置に装着されている時に前記蓄電装置と有線通信する第３通信器と、アクセスポイントと無線通信する第４通信器と、前記充電装置が特定のアクセスポイントと無線接続を確立するための無線設定値を前記蓄電装置から前記第３通信器が受信すると、前記無線設定値を用いて、前記第４通信器に前記特定のアクセスポイントとの無線接続を確立させる制御器とを備える。
【００２７】
これにより、充電装置は、特定のアクセスポイントと無線接続を確立するための無線設定値を蓄電装置から受信し、蓄電装置から受信した無線設定値を用いて、特定のアクセスポイントと無線接続を確立することができる。したがって、充電装置は、無線通信を利用するための環境の構築を適切に支援することができる。
【００２８】
本開示の第８態様に係る充電装置は、上記第７態様の充電装置において、例えば、前記第４通信器は、Ｗｉ−Ｆｉ（登録商標）通信を行う通信器でもよい。
【００２９】
これにより、充電装置は、Ｗｉ−Ｆｉ（登録商標）通信によって、安定的にアクセスポイントと通信することができる。
【００３０】
また、本開示の第９態様に係る充電装置は、上記第７態様または第８態様の充電装置において、例えば、前記制御器は、前記特定のアクセスポイントの情報を前記特定のアクセスポイントから前記第４通信器が受信すると、前記第３通信器に前記特定のアクセスポイントの情報を前記蓄電装置へ送信させてもよい。
【００３１】
これにより、充電装置は、特定のアクセスポイントの情報を特定のアクセスポイントから受信し、特定のアクセスポイントの情報を蓄電装置へ送信することができる。したがって、充電装置は、特定のアクセスポイントの情報を蓄電装置へ知らせることができる。そして、充電装置は、特定のアクセスポイントの情報を蓄電装置へ送信した後、蓄電装置から無線設定値を受信することができる。したがって、充電装置は、適切なタイミングで、蓄電装置から無線設定値を受信することができる。
【００３２】
また、本開示の第１０態様に係る充電装置の制御方法は、前記充電装置が特定のアクセスポイントと無線接続を確立するための無線設定値を、前記充電装置と蓄電装置とを着脱可能に接続させる第２接続器を介して前記蓄電装置が前記充電装置に装着されている時に前記蓄電装置と有線通信する、前記充電装置に設けられた第３通信器を介して、前記蓄電装置から受信するステップと、前記無線設定値を用いて、アクセスポイントと無線通信する、前記充電装置に設けられた第４通信器に前記特定のアクセスポイントとの無線接続を確立させるステップとを備える。
【００３３】
これにより、充電装置は、特定のアクセスポイントと無線接続を確立するための無線設定値を蓄電装置から受信し、蓄電装置から受信した無線設定値を用いて、特定のアクセスポイントと無線接続を確立することができる。したがって、充電装置は、無線通信を利用するための環境の構築を適切に支援することができる。
【００３４】
本開示の第１１態様に係る充電装置の制御方法は、上記第１０態様の充電装置の制御方法において、例えば、前記第４通信器は、Ｗｉ−Ｆｉ（登録商標）通信を行う通信器でもよい。
【００３５】
これにより、充電装置は、Ｗｉ−Ｆｉ（登録商標）通信によって、安定的にアクセスポイントと通信することができる。
【００３６】
また、本開示の第１２態様に係る充電装置の制御方法は、上記第１０態様または第１１態様の充電装置の制御方法において、例えば、さらに、前記特定のアクセスポイントの情報を前記特定のアクセスポイントから前記第４通信器を介して受信するステップと、前記第３通信器を介して、前記特定のアクセスポイントの情報を前記蓄電装置へ送信するステップとを備えてもよい。
【００３７】
これにより、充電装置は、特定のアクセスポイントの情報を特定のアクセスポイントから受信し、特定のアクセスポイントの情報を蓄電装置へ送信することができる。したがって、充電装置は、特定のアクセスポイントの情報を蓄電装置へ知らせることができる。そして、充電装置は、特定のアクセスポイントの情報を蓄電装置へ送信した後、蓄電装置から無線設定値を受信することができる。したがって、充電装置は、適切なタイミングで、蓄電装置から無線設定値を受信することができる。
【００３８】
また、本開示の第１３態様に係る充電装置の無線接続設定システムは、充電装置と、前記充電装置に装着される蓄電装置とを備える無線接続設定システムであって、前記蓄電装置は、前記充電装置によって充電される蓄電池と、前記蓄電池を備える蓄電装置と前記充電装置とを着脱可能に接続させる第１接続器と、情報端末と無線通信する第１通信器と、前記第１接続器を介して前記蓄電装置が前記充電装置に装着されている時に前記充電装置と有線通信する第２通信器と、前記充電装置が特定のアクセスポイントと無線接続を確立するための無線設定値を前記情報端末から前記第１通信器が受信すると、前記第２通信器に前記無線設定値を前記充電装置に送信させる第１制御器とを備え、前記充電装置は、前記蓄電装置に電力を供給して、前記蓄電装置を充電させる充電器と、前記充電器を備える充電装置と前記蓄電装置とを着脱可能に接続させる第２接続器と、前記第２接続器を介して前記蓄電装置が前記充電装置に装着されている時に前記蓄電装置と有線通信する第３通信器と、アクセスポイントと無線通信する第４通信器と、前記無線設定値を前記蓄電装置から前記第３通信器が受信すると、前記無線設定値を用いて、前記第４通信器に前記特定のアクセスポイントとの無線接続を確立させる第２制御器とを備える。
【００３９】
これにより、蓄電装置は、充電装置が特定のアクセスポイントとの無線接続を確立するための無線設定値を情報端末から受信し、その無線設定値を充電装置へ送信することができる。そして、充電装置は、無線設定値を蓄電装置から受信し、蓄電装置から受信した無線設定値を用いて、特定のアクセスポイントと無線接続を確立することができる。したがって、これらを備える無線接続設定システムは、無線通信を利用するための環境の構築を適切に支援することができる。
【００４０】
本開示の第１４態様に係る無線接続設定システムは、上記第１３態様の無線接続設定システムにおいて、例えば、前記第１通信器の消費電力は、前記第４通信器の消費電力よりも小さくてもよい。
【００４１】
これにより、無線接続設定システムは、比較的小さい消費電力で、情報端末から無線設定値を受信することができる。したがって、無線接続設定システムは、消費電力の増加を抑制しつつ、無線通信を利用するための環境の構築を適切に支援することができる。
【００４２】
また、本開示の第１５態様に係る無線接続設定システムは、上記第１４態様の無線接続設定システムにおいて、例えば、前記第１通信器は、ＢＬＥ（Ｂｌｕｅｔｏｏｔｈ（登録商標）  Ｌｏｗ  Ｅｎｅｒｇｙ）通信を行う通信器であり、前記第４通信器は、Ｗｉ−Ｆｉ（登録商標）通信を行う通信器でもよい。
【００４３】
これにより、蓄電装置は、ＢＬＥ通信によって、消費電力の増加を抑制しつつ、情報端末と通信することができる。また、充電装置は、Ｗｉ−Ｆｉ（登録商標）通信によって、安定的にアクセスポイントと通信することができる。したがって、これらを備える無線接続設定システムは、消費電力の増加を抑制しつつ、無線通信を利用するための環境の構築を適切に支援し、安定的にアクセスポイントと通信することができる。
【００４４】
また、本開示の第１６態様に係る無線接続設定システムは、上記第１３態様−第１５態様のいずれか一つの無線接続設定システムにおいて、例えば、前記第２制御器は、前記特定のアクセスポイントの情報を前記特定のアクセスポイントから前記第４通信器が受信すると、前記第３通信器に前記特定のアクセスポイントの情報を前記蓄電装置へ送信させ、前記第１制御器は、前記特定のアクセスポイントの情報を前記充電装置から前記第２通信器が受信すると、前記第１通信器に前記特定のアクセスポイントの情報を前記情報端末へ送信させてもよい。
【００４５】
これにより、充電装置は、特定のアクセスポイントの情報を特定のアクセスポイントから受信し、特定のアクセスポイントの情報を蓄電装置へ送信することができる。また、蓄電装置は、特定のアクセスポイントの情報を充電装置から受信し、特定のアクセスポイントの情報を情報端末へ送信することができる。したがって、充電装置は、特定のアクセスポイントの情報を蓄電装置へ知らせることができ、蓄電装置は、特定のアクセスポイントの情報を情報端末へ知らせることができる。
【００４６】
そして、蓄電装置は、特定のアクセスポイントの情報を情報端末へ送信した後、情報端末から無線設定値を受信することができる。また、充電装置は、特定のアクセスポイントの情報を蓄電装置へ送信した後、蓄電装置から無線設定値を受信することができる。したがって、蓄電装置および充電装置は、適切なタイミングで、情報端末から無線設定値を受信することができる。
【００４７】
なお、これらの包括的または具体的な態様は、システム、装置、方法、集積回路、コンピュータプログラム、または、コンピュータ読み取り可能なＣＤ−ＲＯＭなどの非一時的な記録媒体で実現されてもよく、システム、装置、方法、集積回路、コンピュータプログラムまたは記録媒体の任意な組み合わせで実現されてもよい。
【００４８】
以下、実施の形態について、図面を参照しながら具体的に説明する。なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本開示を限定する主旨ではない。また、以下の実施の形態における構成要素のうち、最上位概念を示す独立請求項に記載されていない構成要素については、任意の構成要素として説明される。
【００４９】
また、表現上、第１、第２および第３などの序数が、構成要素などに対して、付け加えられてもよいし、付け替えられてもよいし、取り除かれてもよい。
【００５０】
（実施の形態）
図１は、本実施の形態における無線接続設定システムを示すブロック図である。図１に示された無線接続設定システム１００は、蓄電装置１０１および充電装置１０２を備える。また、図１には、さらに、情報端末１０３およびアクセスポイント１０４が示されている。
【００５１】
蓄電装置１０１は、本開示の蓄電装置の一例であって、充放電が行われる蓄電装置である。蓄電装置１０１は、蓄電池パックとも呼ばれる。蓄電装置１０１は、充電装置１０２に装着されて充電される。蓄電装置１０１は、具体的には、蓄電池１１１、制御器１１２、第１通信器１１３、第２通信器１１４及び第１接続器１１７を備える。
【００５２】
蓄電池１１１は、本開示の蓄電池の一例であって、電気エネルギーを蓄積する蓄電池である。例えば、蓄電池１１１は、充電装置１０２によって充電される。蓄電池１１１は、二次電池または充電式電池とも呼ばれる。また、蓄電池１１１は、セルでもよいし、素電池でもよいし、電池ブロックでもよいし、組電池でもよい。
【００５３】
制御器１１２は、本開示の制御器または第１制御器の一例であって、蓄電装置１０１の全体の動作を制御する制御器である。制御器１１２は、演算処理器および記憶器を備えてもよい。制御器１１２の演算処理器は、ＭＰＵまたはＣＰＵでもよい。制御器１１２の記憶器は、揮発性メモリでもよいし、不揮発性メモリでもよい。制御器１１２は、集中制御を行う単独の制御器で構成されていてもよいし、互いに協働して分散制御を行う複数の制御器で構成されていてもよい。
【００５４】
例えば、制御器１１２は、第１通信器１１３が情報端末１０３から無線設定値を受信すると、第２通信器１１４に無線設定値を充電装置１０２へ送信させる。また、制御器１１２は、第２通信器１１４が充電装置１０２からアクセスポイント１０４の情報を受信すると、第１通信器１１３にアクセスポイント１０４の情報を情報端末１０３へ送信させてもよい。なお、無線設定値は、充電装置１０２がアクセスポイント１０４との無線接続を確立するための設定情報である。
【００５５】
また、例えば、制御器１１２は、蓄電装置１０１の各構成要素に指令を送信することにより、蓄電装置１０１の全体の動作を制御してもよい。この場合、蓄電装置１０１の各構成要素は、制御器１１２から指令を受信し、指令に従って動作する。
【００５６】
また、例えば、制御器１１２は、蓄電池１１１の充電または放電を制御するコンバータを備えてもよい。そして、制御器１１２は、充電装置１０２から第２通信器１１４を介して充電の指示を取得し、充電の指示に従って、蓄電池１１１の充電を制御してもよい。また、制御器１１２は、蓄電池１１１の状態を取得し、蓄電池１１１の状態に従って、蓄電池１１１の充電または放電を制御してもよい。
【００５７】
また、例えば、制御器１１２は、第１通信器１１３を介して、蓄電池１１１の状態を情報端末１０３へ通知してもよい。これにより、制御器１１２は、蓄電池１１１の状態を利用者に知らせることができる。また、制御器１１２は、第２通信器１１４を介して、蓄電池１１１の状態を充電装置１０２へ通知してもよい。
【００５８】
第１通信器１１３は、本開示の第１通信器の一例であって、情報端末１０３と無線通信する通信器である。第１通信器１１３は、通信インタフェースを含む処理回路でもよい。例えば、第１通信器１１３は、無線通信のためのアンテナを備えてもよい。
【００５９】
具体的には、第１通信器１１３は、制御器１１２が行う制御に従って、情報端末１０３と無線通信する。例えば、第１通信器１１３は、情報端末１０３から無線設定値を受信する。また、第１通信器１１３は、情報端末１０３へアクセスポイント１０４の情報を送信してもよい。また、第１通信器１１３は、蓄電池１１１の状態を示す電池情報を情報端末１０３へ送信してもよい。
【００６０】
また、第１通信器１１３は、ＢＬＥ（Ｂｌｕｅｔｏｏｔｈ（登録商標）  Ｌｏｗ  Ｅｎｅｒｇｙ）通信を行う通信器でもよい。ＢＬＥは、近距離無線通信規格であるＢｌｕｅｔｏｏｔｈ（登録商標）のバージョン４に対応する。ＢＬＥ通信のための消費電力は比較的小さい。第１通信器１１３がＢＬＥ通信を行うことで、消費電力が抑制される。なお、Ｂｌｕｅｔｏｏｔｈ（登録商標）は、近距離無線通信の国際標準規格であるＩＥＥＥ８０２．１５．１規格に対応する。
【００６１】
第２通信器１１４は、本開示の第２通信器の一例であって、充電装置１０２への蓄電装置１０１の装着時に充電装置１０２に通信接続され、充電装置１０２と有線通信する通信器である。第２通信器１１４は、通信インタフェースを含む処理回路でもよい。例えば、第２通信器１１４は、有線通信のための接続端子を備えてもよい。具体的には、第２通信器１１４は、制御器１１２が行う制御に従って、充電装置１０２と有線通信する。
【００６２】
例えば、第２通信器１１４は、充電装置１０２へ無線設定値を送信する。また、第２通信器１１４は、充電装置１０２からアクセスポイント１０４の情報を受信してもよい。
【００６３】
第１接続器１１７は、蓄電装置１０１と充電装置１０２とを着脱可能に接続させる。第１接続器１１７は、充電装置１０２から供給された電力を受電する受電端子を備える。図１では、受電端子は白丸で示される。第１接続器１１７は、第２通信器１１４の有線通信のための接続端子（通信端子）と一体に構成されていてもよい。第２通信器１１４の有線通信のための接続端子（通信端子）は、図１では、第２通信器１１４と接続された電路上の白丸で示されている。第１接続器１１７は、本開示の第１接続器の一例である。
【００６４】
充電装置１０２は、本開示の充電装置の一例であって、蓄電装置１０１を充電する充電装置である。例えば、充電装置１０２は、電力系統から供給される交流電力を所定の電圧の直流電力に変換して、所定の電圧の直流電力を蓄電装置１０１に供給することにより、蓄電装置１０１を充電する。より具体的には、充電装置１０２は、蓄電装置１０１の蓄電池１１１を充電する。本実施の形態において、充電装置１０２は、制御器１２２、第３通信器１２４、第４通信器１２５、充電器１２７及び第２接続器１２８を備える。
【００６５】
制御器１２２は、本開示の制御器または第２制御器の一例であって、充電装置１０２の全体の動作を制御する制御器である。制御器１２２は、演算処理器および記憶器を備えてもよい。制御器１２２の演算処理器は、ＭＰＵまたはＣＰＵでもよい。制御器１２２の記憶器は、揮発性メモリでもよいし、不揮発性メモリでもよい。制御器１２２は、集中制御を行う単独の制御器で構成されていてもよいし、互いに協働して分散制御を行う複数の制御器で構成されていてもよい。
【００６６】
例えば、制御器１２２は、第３通信器１２４が蓄電装置１０１から無線設定値を受信すると、無線設定値を用いて、第４通信器１２５にアクセスポイント１０４との無線接続を確立させる。また、制御器１２２は、第４通信器１２５がアクセスポイント１０４からアクセスポイント１０４の情報を受信すると、第３通信器１２４にアクセスポイント１０４の情報を蓄電装置１０１へ送信させてもよい。
【００６７】
また、例えば、制御器１２２は、充電装置１０２の各構成要素に指令を送信することにより、充電装置１０２の全体の動作を制御してもよい。この場合、充電装置１０２の各構成要素は、制御器１２２から指令を受信し、指令に従って動作する。
【００６８】
また、制御器１２２は、蓄電装置１０１の充電を制御するコンバータを備えてもよい。また、制御器１２２は、蓄電装置１０１へ第３通信器１２４を介して充電の指示を送信することにより、蓄電装置１０１の充電を制御してもよい。
【００６９】
また、例えば、制御器１２２は、蓄電装置１０１から第３通信器１２４を介して蓄電池１１１の状態を取得し、蓄電池１１１の状態に従って蓄電装置１０１の充電を制御してもよい。また、制御器１２２は、第４通信器１２５等を介して、蓄電池１１１の状態をサーバへ通知してもよい。
【００７０】
第３通信器１２４は、本開示の第３通信器の一例であって、充電装置１０２への蓄電装置１０１の装着時に蓄電装置１０１に通信接続され、蓄電装置１０１と有線通信する通信器である。第３通信器１２４は、通信インタフェースを含む処理回路でもよい。例えば、第３通信器１２４は、有線通信のための接続端子を備えてもよい。具体的には、第３通信器１２４は、制御器１２２が行う制御に従って、蓄電装置１０１と有線通信する。
【００７１】
例えば、第３通信器１２４は、蓄電装置１０１から無線設定値を受信する。また、第３通信器１２４は、蓄電装置１０１へアクセスポイント１０４の情報を送信してもよい。
【００７２】
第４通信器１２５は、本開示の第４通信器の一例であって、アクセスポイント１０４またはその他のアクセスポイント等と無線通信する通信器である。第４通信器１２５は、通信インタフェースを含む処理回路でもよい。例えば、第４通信器１２５は、無線通信のためのアンテナを備えてもよい。具体的には、第４通信器１２５は、制御器１２２が行う制御に従って、アクセスポイント１０４と無線通信する。
【００７３】
例えば、第４通信器１２５は、無線設定値を用いて、アクセスポイント１０４との無線接続を確立する。また、第４通信器１２５は、アクセスポイント１０４からアクセスポイント１０４の情報を受信してもよい。
【００７４】
また、第４通信器１２５は、Ｗｉ−Ｆｉ（登録商標）通信を行う通信器でもよい。Ｗｉ−Ｆｉ（登録商標）は、無線通信規格であり、無線ＬＡＮ（Ｌｏｃａｌ  Ａｒｅａ  Ｎｅｔｗｏｒｋ）に対応し、より具体的には、無線通信の国際標準規格であるＩＥＥＥ８０２．１１規格に対応する。
【００７５】
Ｗｉ−Ｆｉ（登録商標）通信のための消費電力はＢＬＥ通信のための消費電力よりも大きい。一方、Ｗｉ−Ｆｉ（登録商標）通信の通信距離は、ＢＬＥ通信の通信距離よりも長い。また、Ｗｉ−Ｆｉ（登録商標）通信の通信速度は、ＢＬＥ通信の通信速度よりも速い。第４通信器１２５は、Ｗｉ−Ｆｉ（登録商標）通信を行うことで、安定的にアクセスポイント１０４と無線通信を行うことができる。
【００７６】
充電器１２７は、蓄電装置１０１に電力を供給して、蓄電装置１０１を充電させる。充電器１２７は、外部電源から得た電力を用いて蓄電装置１０１に電力を供給する。外部電源としては、商用電源及び、太陽電池、燃料電池、蓄電池等の分散型電源が例示される。充電器１２７は、外部電源から得られた電力の電圧を変換する電力変換器を備える。電力変換器としては、ＤＣ／ＤＣコンバータ、ＡＣ／ＤＣコンバータが例示される。充電器１２７は、本開示の充電器の一例である。
【００７７】
第２接続器１２８は、蓄電装置１０１と充電装置１０２とを着脱可能に接続させる。第１接続器１１７は、蓄電装置１０１へ電力を送る送電端子を備える。図１では、送電端子は白丸で示される。第１接続器１１７と第２接続器１２８が接続されることで、蓄電装置１０１が充電装置１０２に装着される。このとき、第１接続器１１７に設けられた受電端子及び第２接続器１２８に設けられた送電端子を介して蓄電装置１０１及び充電装置１０２が電気的に接続される。第２接続器１２８は、第３通信器１２４の有線通信のための接続端子（通信端子）と一体に構成されていてもよい。第３通信器１２４の有線通信のための接続端子（通信端子）は、図１では、第３通信器１２４と接続された電路上の白丸で示されている。第２接続器１２８は、本開示の第２接続器の一例である。
【００７８】
情報端末１０３は、蓄電装置１０１等と通信可能な装置であって、無線設定値等の入力可能な装置である。例えば、情報端末１０３は、通信インタフェースおよび操作インタフェースを備える。情報端末１０３は、コンピュータ等のような情報処理装置でもよい。より具体的には、情報端末１０３は、携帯端末でもよいし、携帯電話でもよいし、スマートフォンでもよい。
【００７９】
例えば、情報端末１０３は、蓄電装置１０１と無線通信する。情報端末１０３は、蓄電装置１０１と無線通信する際、ＢＬＥ通信を行ってもよい。また、情報端末１０３は、無線設定値を用いてアクセスポイント１０４との無線接続を確立し、アクセスポイント１０４と無線通信してもよい。情報端末１０３は、アクセスポイント１０４と無線通信する際、Ｗｉ−Ｆｉ（登録商標）通信を行ってもよい。
【００８０】
また、情報端末１０３は、無線設定値の入力を受け付けてもよい。そして、情報端末１０３は、無線設定値を蓄電装置１０１へ送信してもよい。また、情報端末１０３は、アクセスポイント１０４の情報をアクセスポイント１０４または蓄電装置１０１から受信してもよい。
【００８１】
アクセスポイント１０４は、通信を中継する装置である。アクセスポイント１０４は、ルータまたはブリッジ等の通信機器でもよい。
【００８２】
例えば、アクセスポイント１０４は、無線設定値を用いて充電装置１０２および情報端末１０３との無線接続を確立し、充電装置１０２および情報端末１０３と無線通信してもよい。アクセスポイント１０４は、充電装置１０２および情報端末１０３と無線通信する際、Ｗｉ−Ｆｉ（登録商標）通信を行ってもよい。また、アクセスポイント１０４は、サーバと有線通信してもよい。また、アクセスポイント１０４は、充電装置１０２または情報端末１０３へアクセスポイント１０４の情報を送信してもよい。
【００８３】
図２は、図１に示された蓄電装置１０１の第１動作例を示すフローチャートである。第１動作例において、第１通信器１１３は、充電装置１０２がアクセスポイント１０４との無線接続を確立するための無線設定値を情報端末１０３から受信する（Ｓ１０１）。例えば、第１通信器１１３は、ＢＬＥ通信で、無線設定値を情報端末１０３から受信する。
【００８４】
そして、制御器１１２は、第１通信器１１３が無線設定値を情報端末１０３から受信すると、第２通信器１１４に無線設定値を充電装置１０２へ送信させる。制御器１１２が行う制御に従って、第２通信器１１４は、無線設定値を充電装置１０２へ送信する（Ｓ１０２）。例えば、第２通信器１１４は、有線通信で、無線設定値を充電装置１０２へ送信する。
【００８５】
これにより、蓄電装置１０１は、充電装置１０２がアクセスポイント１０４との無線接続を確立するための無線設定値を情報端末１０３から受信し、その無線設定値を充電装置１０２へ送信することができる。したがって、蓄電装置１０１は、充電装置１０２がアクセスポイント１０４との無線接続を確立することを適切に支援することができ、無線通信を利用するための環境の構築を適切に支援することができる。
【００８６】
図３は、図１に示された充電装置１０２の第１動作例を示すフローチャートである。第１動作例において、第３通信器１２４は、充電装置１０２がアクセスポイント１０４との無線接続を確立するための無線設定値を蓄電装置１０１から受信する（Ｓ２０１）。例えば、第３通信器１２４は、有線通信で、無線設定値を蓄電装置１０１から受信する。
【００８７】
そして、制御器１２２は、第３通信器１２４が無線設定値を蓄電装置１０１から受信すると、無線設定値を用いて、第４通信器１２５にアクセスポイント１０４との無線接続を確立させる。制御器１２２が行う制御に従って、第４通信器１２５は、アクセスポイント１０４との無線接続を確立する（Ｓ２０２）。例えば、第４通信器１２５は、アクセスポイント１０４とのＷｉ−Ｆｉ（登録商標）通信の無線接続を確立する。
【００８８】
これにより、充電装置１０２は、アクセスポイント１０４と無線接続を確立するための無線設定値を蓄電装置１０１から受信し、蓄電装置１０１から受信した無線設定値を用いて、アクセスポイント１０４と無線接続を確立することができる。したがって、充電装置１０２は、無線通信を利用するための環境の構築を適切に支援することができる。
【００８９】
図４は、図１に示された蓄電装置１０１の第２動作例を示すフローチャートである。第２動作例において、第２通信器１１４は、アクセスポイント１０４の情報を充電装置１０２から受信する（Ｓ３０１）。例えば、第２通信器１１４は、有線通信で、アクセスポイント１０４の情報を充電装置１０２から受信する。
【００９０】
そして、制御器１１２は、第２通信器１１４がアクセスポイント１０４の情報を充電装置１０２から受信すると、第１通信器１１３にアクセスポイント１０４の情報を情報端末１０３へ送信させる。制御器１１２が行う制御に従って、第１通信器１１３は、アクセスポイント１０４の情報を情報端末１０３へ送信する（Ｓ３０２）。例えば、第１通信器１１３は、ＢＬＥ通信で、アクセスポイント１０４の情報を情報端末１０３へ送信する。
【００９１】
第１通信器１１３は、アクセスポイント１０４の情報を情報端末１０３へ送信した後、第１動作例と同様に、充電装置１０２がアクセスポイント１０４との無線接続を確立するための無線設定値を情報端末１０３から受信する（Ｓ３０３）。
【００９２】
そして、制御器１１２は、第１通信器１１３が無線設定値を情報端末１０３から受信すると、第２通信器１１４に無線設定値を充電装置１０２へ送信させる。制御器１１２が行う制御に従って、第２通信器１１４は、無線設定値を充電装置１０２へ送信する（Ｓ３０４）。
【００９３】
これにより、蓄電装置１０１は、アクセスポイント１０４の情報を充電装置１０２から受信し、アクセスポイント１０４の情報を情報端末１０３へ送信することができる。したがって、蓄電装置１０１は、アクセスポイント１０４の情報を情報端末１０３へ知らせることができる。
【００９４】
そして、蓄電装置１０１は、アクセスポイント１０４の情報を情報端末１０３へ送信した後、情報端末１０３から無線設定値を受信することができる。したがって、蓄電装置１０１は、適切なタイミングで、情報端末１０３から無線設定値を受信することができる。そして、蓄電装置１０１は、その無線設定値を充電装置１０２へ送信することができる。したがって、蓄電装置１０１は、無線通信を利用するための環境の構築を適切に支援することができる。
【００９５】
図５は、図１に示された充電装置１０２の第２動作例を示すフローチャートである。第２動作例において、第４通信器１２５は、アクセスポイント１０４の情報をアクセスポイント１０４から受信する（Ｓ４０１）。例えば、第４通信器１２５は、接続が確立されていない状態におけるＷｉ−Ｆｉ（登録商標）通信で、アクセスポイント１０４の情報をアクセスポイント１０４から受信する。
【００９６】
そして、制御器１２２は、第４通信器１２５がアクセスポイント１０４の情報をアクセスポイント１０４から受信すると、第３通信器１２４にアクセスポイント１０４の情報を蓄電装置１０１へ送信させる。制御器１２２が行う制御に従って、第３通信器１２４は、アクセスポイント１０４の情報を蓄電装置１０１へ送信する（Ｓ４０２）。例えば、第３通信器１２４は、有線通信で、アクセスポイント１０４の情報を蓄電装置１０１へ送信する。
【００９７】
第３通信器１２４は、アクセスポイント１０４の情報を蓄電装置１０１へ送信した後、第１動作例と同様に、充電装置１０２がアクセスポイント１０４との無線接続を確立するための無線設定値を蓄電装置１０１から受信する（Ｓ４０３）。
【００９８】
そして、制御器１２２は、第３通信器１２４が無線設定値を蓄電装置１０１から受信すると、無線設定値を用いて、第４通信器１２５にアクセスポイント１０４との無線接続を確立させる。制御器１２２が行う制御に従って、第４通信器１２５は、アクセスポイント１０４との無線接続を確立する（Ｓ４０４）。
【００９９】
これにより、充電装置１０２は、アクセスポイント１０４の情報をアクセスポイント１０４から受信し、アクセスポイント１０４の情報を蓄電装置１０１へ送信することができる。したがって、充電装置１０２は、アクセスポイント１０４の情報を蓄電装置１０１へ知らせることができる。
【０１００】
そして、充電装置１０２は、アクセスポイント１０４の情報を蓄電装置１０１へ送信した後、蓄電装置１０１から無線設定値を受信することができる。したがって、充電装置１０２は、適切なタイミングで、蓄電装置１０１から無線設定値を受信することができる。そして、充電装置１０２は、蓄電装置１０１から受信した無線設定値を用いて、アクセスポイント１０４と無線接続を確立することができる。したがって、充電装置１０２は、無線通信を利用するための環境の構築を適切に支援することができる。
【０１０１】
次に、図１に示された無線接続設定システム１００等のより具体的な構成例および動作例を第１具体例および第２具体例として示す。
【０１０２】
（第１具体例）
図６は、図１に示された無線接続設定システム１００の第１具体例を示すブロック図である。本具体例において、無線接続設定システム１００は、図１の例と同様に、蓄電装置１０１および充電装置１０２を備える。また、蓄電装置１０１、充電装置１０２、情報端末１０３およびアクセスポイント１０４は、屋内において利用されているが、これらは、屋外に持ち出されて利用されてもよい。なお、図６において、構成要素間の点線は、有線通信または無線通信の伝送路を示し、構成要素間の太線は、電力線を示す。
【０１０３】
蓄電装置１０１は、図１の例と同様に、蓄電池１１１、制御器１１２、第１通信器１１３および第２通信器１１４を備える。本具体例において、蓄電装置１０１は、さらに、検知器１１６を備える。検知器１１６は、制御器１１２に含まれていてもよい。
【０１０４】
検知器１１６は、蓄電池１１１の状態を検知するための構成要素である。例えば、検知器１１６は、蓄電池１１１の充電電圧、放電電圧および内部抵抗等を検知する。検知器１１６は、具体的には、電圧計でもよいし、電流計でもよい。
【０１０５】
例えば、検知器１１６で得られた情報は、制御器１１２、第２通信器１１４、第３通信器１２４、制御器１２２、第４通信器１２５、アクセスポイント１０４、および、通信網１０６を介して、サーバ１０５に送信される。そして、サーバ１０５において、検知器１１６で得られた情報が蓄積される。これにより、蓄電池１１１の状態を示す電池情報がサーバ１０５において蓄積され、蓄電装置１０１が適切に管理される。
【０１０６】
また、充電装置１０２は、図１の例と同様に、制御器１２２、第３通信器１２４および第４通信器１２５を備える。本具体例において、充電装置１０２は、さらに、充電器１２７を備える。充電器１２７は、制御器１２２に含まれていてもよい。
【０１０７】
充電器１２７は、蓄電装置１０１へ電力を供給するための構成要素である。具体的には、充電器１２７は、電力系統から蓄電装置１０１へ電力を供給するための電気回路である。充電器１２７は、蓄電装置１０１の充電を制御するコンバータを備えていてもよい。例えば、充電器１２７は、制御器１２２が行う制御に従って、電力系統から供給される交流電力を所定の電圧の直流電力に変換して、所定の電圧の直流電力を蓄電装置１０１に供給する。これにより、蓄電装置１０１が充電される。
【０１０８】
また、本具体例において、アクセスポイント１０４は、充電装置１０２および情報端末１０３と無線通信する。また、アクセスポイント１０４は、通信網１０６を介して、サーバ１０５と有線通信する。これにより、アクセスポイント１０４は、充電装置１０２とサーバ１０５との間で通信を中継してもよいし、情報端末１０３とサーバ１０５との間で通信を中継してもよい。
【０１０９】
サーバ１０５は、蓄電装置１０１を管理するための装置である。サーバ１０５は、コンピュータ等のような情報処理装置でもよい。また、サーバ１０５は、複数の装置で構成されていてもよい。例えば、サーバ１０５は、通信網１０６を介して、アクセスポイント１０４と通信可能である。そして、サーバ１０５および充電装置１０２は、アクセスポイント１０４を介して互いに通信してもよい。また、サーバ１０５および情報端末１０３は、アクセスポイント１０４を介して、互いに通信してもよい。
【０１１０】
また、サーバ１０５および情報端末１０３は、アクセスポイント１０４を介さず、互いに通信してもよい。例えば、サーバ１０５および情報端末１０３は、第３世代移動通信システム（３Ｇ）、第４世代移動通信システム（４Ｇ）、または、ＬＴＥ（登録商標）等のような移動通信システムで利用される通信規格に基づいて、互いに通信してもよい。より具体的には、ＩＭＴ（Ｉｎｔｅｒｎａｔｉｏｎａｌ  Ｍｏｂｉｌｅ  Ｔｅｌｅｃｏｍｍｕｎｉｃａｔｉｏｎｓ）−２０００またはＩＭＴ−Ａｄｖａｎｃｅｄ等が用いられてもよい。
【０１１１】
通信網１０６は、各種の通信機器が通信するためのネットワークである。通信網１０６は、インターネットのような汎用のネットワークでもよいし、専用のネットワークでもよい。
【０１１２】
また、本具体例において、蓄電装置１０１と情報端末１０３との間ではＢＬＥ通信が利用される。充電装置１０２とアクセスポイント１０４との間ではＷｉ−Ｆｉ（登録商標）通信が利用される。情報端末１０３とアクセスポイント１０４との間ではＷｉ−Ｆｉ（登録商標）通信が利用される。蓄電装置１０１と充電装置１０２との間では、有線通信が利用される。
【０１１３】
蓄電装置１０１と情報端末１０３との間で利用されるＢＬＥ通信のための無線接続は、情報端末１０３の操作インタフェースを介して入力される情報に基づいて、適切に確立される。また、情報端末１０３とアクセスポイント１０４との間で利用されるＷｉ−Ｆｉ（登録商標）通信のための無線接続も、同様に、情報端末１０３の操作インタフェースを介して入力される情報に基づいて、適切に確立される。蓄電装置１０１と充電装置１０２との間で利用される有線通信のための有線接続は、物理的な接続によって適切に確立される。
【０１１４】
しかしながら、充電装置１０２とアクセスポイント１０４との間で利用されるＷｉ−Ｆｉ（登録商標）通信のための無線接続を確立することは容易ではない。そこで、蓄電装置１０１は、充電装置１０２がアクセスポイント１０４との無線接続を確立するための設定情報を情報端末１０３から受信し、受信した設定情報を充電装置１０２へ送信する。充電装置１０２は、蓄電装置１０１から設定情報を受信し、受信した設定情報を用いて、アクセスポイント１０４との無線接続を確立する。
【０１１５】
具体的には、情報端末１０３は、アクセスポイント１０４からアクセスポイント１０４の情報であるアクセスポイント情報（ＡＰ情報）を受信する。アクセスポイント情報は、アクセスポイント１０４を示す情報でもよい。つまり、アクセスポイント情報は、アクセスポイント１０４を識別するための情報を含んでいてもよい。アクセスポイント情報は、例えば、Ｗｉ−Ｆｉ（登録商標）通信に利用されるＳＳＩＤ（Ｓｅｒｖｉｃｅ  Ｓｅｔ  Ｉｄｅｎｔｉｆｉｅｒ）、認証方式および暗号化方式等を含んでいてもよい。
【０１１６】
また、情報端末１０３は、情報端末１０３とアクセスポイント１０４との間でＷｉ−Ｆｉ通信の無線接続を確立するための通信において、アクセスポイント情報を受信してもよい。そして、情報端末１０３は、情報端末１０３の操作インタフェースへの入力等に基づいて、設定情報を取得する。設定情報は、例えば、Ｗｉ−Ｆｉ（登録商標）通信の確立するために用いられるＳＳＩＤの設定値、認証方式の設定値、暗号化方式の設定値およびパスワード等を含んでもよい。
【０１１７】
つまり、設定情報は、アクセスポイント情報に対する設定値にパスワード等の情報を追加することで得られる情報でもよい。具体的には、情報端末１０３は、アクセスポイント情報として受信したＳＳＩＤの設定値に対応するパスワード等の入力を受け付け、ＳＳＩＤの設定値およびパスワード等を組み合わせることで、ＳＳＩＤの設定値およびパスワード等を含む設定情報を取得してもよい。
【０１１８】
そして、情報端末１０３は、ＢＬＥ通信で、設定情報を蓄電装置１０１へ送信する。蓄電装置１０１の第１通信器１１３は、ＢＬＥ通信で、設定情報を情報端末１０３から受信する。蓄電装置１０１の第２通信器１１４は、有線通信で、設定情報を充電装置１０２へ送信する。充電装置１０２の第３通信器１２４は、有線通信で、設定情報を蓄電装置１０１から受信する。充電装置１０２の第４通信器１２５は、設定情報を用いて、充電装置１０２とアクセスポイント１０４と間のＷｉ−Ｆｉ（登録商標）通信の無線接続を確立する。
【０１１９】
これにより、充電装置１０２とアクセスポイント１０４との間のＷｉ−Ｆｉ（登録商標）通信の無線接続を確立するための設定情報が、情報端末１０３によって取得され、蓄電装置１０１を介して充電装置１０２へ送信される。そして、充電装置１０２へ送信された設定情報に基づいて、充電装置１０２とアクセスポイント１０４との間のＷｉ−Ｆｉ（登録商標）通信の無線接続が確立される。
【０１２０】
したがって、充電装置１０２は、操作インタフェースを備えていなくても、充電装置１０２とアクセスポイント１０４との間のＷｉ−Ｆｉ（登録商標）通信の無線接続を確立することができる。また、第１通信器１１３、第２通信器１１４および第３通信器１２４として、蓄電池１１１の状態を示す電池情報を送受信するための通信器が用いられてもよい。これにより、構成要素の増加が抑制される。
【０１２１】
図７は、図６に示された蓄電装置１０１および充電装置１０２等の動作を示すシーケンス図である。なお、図７において、１点鎖線の矢印はＷｉ−Ｆｉ（登録商標）通信を示し、２点鎖線の矢印はＢＬＥ通信を示し、実線の矢印は有線通信を示し、点線は移動通信システムで利用されるＬＴＥ等の無線通信を示す。
【０１２２】
この例において、まず、情報端末１０３と蓄電装置１０１とは、互いにＢＬＥ通信の無線接続を確立する（Ｓ５０１）。次に、アクセスポイント１０４は、アクセスポイント１０４の情報であるアクセスポイント情報を情報端末１０３へ送信する。情報端末１０３は、アクセスポイント１０４からアクセスポイント情報を受信する（Ｓ５０２）。
【０１２３】
次に、情報端末１０３は、情報端末１０３の操作インタフェースを介して、設定情報を取得する（Ｓ５０３）。情報端末１０３は、取得した設定情報を用いて、アクセスポイント１０４とのＷｉ−Ｆｉ通信の無線接続を確立してもよい。次に、情報端末１０３は、蓄電装置１０１へ設定情報を送信し、蓄電装置１０１は、設定情報を情報端末１０３から受信する（Ｓ５０４）。
【０１２４】
次に、蓄電装置１０１が充電装置１０２に装着されることにより、蓄電装置１０１と充電装置１０２とは、互いに有線通信の接続を確立する（Ｓ５０５）。次に、蓄電装置１０１は、設定情報を充電装置１０２へ送信し、充電装置１０２は、設定情報を蓄電装置１０１から受信する（Ｓ５０６）。
【０１２５】
次に、充電装置１０２は、設定情報を用いて、アクセスポイント１０４とのＷｉ−Ｆｉ（登録商標）通信の無線接続を確立する（Ｓ５０７）。次に、蓄電装置１０１は、蓄電池１１１の状態を示す電池情報を充電装置１０２へ送信し、充電装置１０２は、電池情報を蓄電装置１０１から受信する（Ｓ５０８）。
【０１２６】
次に、充電装置１０２は、電池情報をアクセスポイント１０４へ送信し、アクセスポイント１０４は、電池情報を充電装置１０２から受信する（Ｓ５０９）。次に、アクセスポイント１０４は、電池情報をサーバ１０５へ送信し、サーバ１０５は、電池情報をアクセスポイント１０４から受信する（Ｓ５１０）。次に、サーバ１０５は、電池情報を受信したことを情報端末１０３へ通知する（Ｓ５１１）。
【０１２７】
なお、情報端末１０３と蓄電装置１０１との接続確立（Ｓ５０１）は、情報端末１０３と蓄電装置１０１との間で通信が行われる前であれば、どのタイミングで行われてもよい。また、蓄電装置１０１と充電装置１０２との接続確立（Ｓ５０５）は、蓄電装置１０１と充電装置１０２との間で通信が行われる前であれば、どのタイミングで行われてもよい。
【０１２８】
また、蓄電装置１０１から充電装置１０２への電池情報の送信（Ｓ５０８）は、蓄電装置１０１と充電装置１０２との接続確立（Ｓ５０５）の後であれば、より早い任意のタイミングで行われてもよい。また、蓄電装置１０１から充電装置１０２への設定情報の送信（Ｓ５０６）、および、蓄電装置１０１から充電装置１０２への電池情報の送信（Ｓ５０８）が同時に行われてもよい。
【０１２９】
図８は、図６に示された蓄電装置１０１および充電装置１０２等の動作を示す概念図である。なお、図８において、図７と同様、１点鎖線の矢印はＷｉ−Ｆｉ（登録商標）通信を示し、２点鎖線の矢印はＢＬＥ通信を示し、実線の矢印は有線通信を示し、点線は移動通信システムで利用されるＬＴＥ等の無線通信を示す。
【０１３０】
図８の（ａ）は、図７のＳ５０１に対応する処理を示す。この処理において、情報端末１０３は、操作インタフェースを介して、蓄電装置１０１の名称およびＰＩＮ（Ｐｅｒｓｏｎａｌ  Ｉｄｅｎｔｉｆｉｃａｔｉｏｎ  Ｎｕｍｂｅｒ）の入力を受け付ける。そして、情報端末１０３は、蓄電装置１０１の名称およびＰＩＮに基づいて、蓄電装置１０１とのＢＬＥ通信の無線接続を確立する。
【０１３１】
図８の（ｂ）は、図７のＳ５０２およびＳ５０３に対応する処理を示す。この処理において、アクセスポイント１０４は、アクセスポイント１０４の情報であるアクセスポイント情報を情報端末１０３へ送信する。情報端末１０３は、アクセスポイント情報をアクセスポイント１０４から受信する。そして、情報端末１０３は、情報端末１０３の操作インタフェースを介して、設定情報を取得する。
【０１３２】
例えば、情報端末１０３は、アクセスポイント１０４とＷｉ−Ｆｉ（登録商標）通信を行うためのＳＳＩＤをアクセスポイント情報として受信し、ＳＳＩＤを表示する。そして、情報端末１０３は、アクセスポイント１０４とＷｉ−Ｆｉ（登録商標）通信を行うためのＳＳＩＤに対応するパスワード（ＰＷ）の入力を受け付ける。これにより、情報端末１０３は、ＳＳＩＤおよびパスワードを含む設定情報を取得する。なお、アクセスポイント情報および設定情報には、さらに、認証方式および暗号化方式等が含まれていてもよい。
【０１３３】
図８の（ｃ）は、図７のＳ５０４に対応する処理を示す。この処理において、情報端末１０３は、設定情報の送信の操作を受け付ける。そして、情報端末１０３は、蓄電装置１０１へ設定情報を送信し、蓄電装置１０１は、情報端末１０３から設定情報を受信する。
【０１３４】
図８の（ｄ）は、図７のＳ５０５およびＳ５０６に対応する処理を示す。この処理において、蓄電装置１０１は、充電装置１０２に装着される。そして、蓄電装置１０１と充電装置１０２とは、互いに有線通信の接続を確立する。そして、蓄電装置１０１は、充電装置１０２へ設定情報を送信し、充電装置１０２は、蓄電装置１０１から設定情報を受信する。
【０１３５】
図８の（ｅ）は、図７のＳ５０７、Ｓ５０８、Ｓ５０９およびＳ５１０に対応する処理を示す。この処理において、充電装置１０２は、設定情報を用いて、アクセスポイント１０４とのＷｉ−Ｆｉ（登録商標）通信の無線接続を確立する。そして、電池情報が、蓄電装置１０１から、充電装置１０２およびアクセスポイント１０４を介して、サーバ１０５へ送信される。
【０１３６】
図８の（ｆ）は、図７のＳ５１１に対応する処理を示す。この処理において、サーバ１０５は、サーバ１０５が電池情報を受信したことを示す通知を情報端末１０３へ送信する。情報端末１０３はその情報を受信して操作インタフェースに表示する。
【０１３７】
なお、サーバ１０５は、サーバ１０５が電池情報を受信したことを示す通知を情報端末１０３へアクセスポイント１０４を介して送信してもよい。つまり、サーバ１０５は、有線通信でアクセスポイント１０４へ通知を送信し、アクセスポイント１０４は、受信した通知をＷｉ−Ｆｉ（登録商標）通信で情報端末１０３へ送信してもよい。
【０１３８】
本具体例では、情報端末１０３が、アクセスポイント１０４からアクセスポイント情報を受信し、設定情報を取得する。そして、設定情報が、蓄電装置１０１を介して充電装置１０２に送信され、アクセスポイント１０４と充電装置１０２とのＷｉ−Ｆｉ（登録商標）通信の無線接続の確立に用いられる。これにより、電池情報を蓄電装置１０１からサーバ１０５へ送信するための無線通信の環境が適切に構築される。
【０１３９】
また、その後、蓄電装置１０１から充電装置１０２を介してサーバ１０５へ電池情報が送信されるため、サーバ１０５は、蓄電装置１０１の充電時に電池情報を収集することができる。したがって、サーバ１０５は、蓄電装置１０１の充電の状態を監視することができる。
【０１４０】
（第２具体例）
図９は、図１に示された無線接続設定システム１００の第２具体例を示すブロック図である。なお、図９において、図６と同様、構成要素間の点線は、有線通信または無線通信の伝送路を示し、構成要素間の太線は、電力線を示す。
【０１４１】
本具体例の構成は、第１具体例の構成と基本的に同じである。ただし、本具体例において、情報端末１０３は、アクセスポイント１０４と通信できなくてもよい。つまり、情報端末１０３は、Ｗｉ−Ｆｉ（登録商標）通信を行うことができなくてもよい。
【０１４２】
また、第１具体例では、アクセスポイント１０４の情報であるアクセスポイント情報が、アクセスポイント１０４から情報端末１０３へ直接送信される。一方、本具体例では、アクセスポイント情報が、アクセスポイント１０４から、充電装置１０２および蓄電装置１０１を介して、情報端末１０３へ送信される。
【０１４３】
より具体的には、充電装置１０２の第４通信器１２５は、アクセスポイント１０４からアクセスポイント１０４の情報であるアクセスポイント情報（ＡＰ情報）を受信する。充電装置１０２の第４通信器１２５は、充電装置１０２とアクセスポイント１０４との間でＷｉ−Ｆｉ通信の無線接続を確立するための通信で、アクセスポイント情報を受信してもよい。
【０１４４】
そして、充電装置１０２の第３通信器１２４は、有線通信で、アクセスポイント情報を蓄電装置１０１へ送信する。蓄電装置１０１の第２通信器１１４は、有線通信で、アクセスポイント情報を充電装置１０２から受信する。蓄電装置１０１は、ＢＬＥ通信で、アクセスポイント情報を情報端末１０３へ送信する。情報端末１０３は、ＢＬＥ通信で、アクセスポイント情報を蓄電装置１０１から受信する。
【０１４５】
そして、第１具体例と同様、情報端末１０３は、情報端末１０３の操作インタフェースへの入力等に基づいて、設定情報を取得する。
【０１４６】
そして、情報端末１０３は、ＢＬＥ通信で、設定情報を蓄電装置１０１へ送信する。蓄電装置１０１の第１通信器１１３は、ＢＬＥ通信で、設定情報を情報端末１０３から受信する。蓄電装置１０１の第２通信器１１４は、有線通信で、設定情報を充電装置１０２へ送信する。充電装置１０２の第３通信器１２４は、有線通信で、設定情報を蓄電装置１０１から受信する。充電装置１０２の第４通信器１２５は、設定情報を用いて、充電装置１０２とアクセスポイント１０４と間のＷｉ−Ｆｉ（登録商標）通信の無線接続を確立する。
【０１４７】
これにより、情報端末１０３は、Ｗｉ−Ｆｉ（登録商標）通信を行うことができなくても、充電装置１０２および蓄電装置１０１を介して、アクセスポイント情報を取得することができる。
【０１４８】
その後、第１具体例と同様に、情報端末１０３は、設定情報を取得することができる。そして、設定情報は、情報端末１０３から蓄電装置１０１を介して充電装置１０２へ送信される。充電装置１０２は、充電装置１０２へ送信された設定情報を用いて、アクセスポイント１０４とのＷｉ−Ｆｉ（登録商標）通信の無線接続を確立することができる。
【０１４９】
図１０は、図９に示された蓄電装置１０１および充電装置１０２等の動作を示すシーケンス図である。なお、図１０において、図７と同様、１点鎖線の矢印はＷｉ−Ｆｉ（登録商標）通信を示し、２点鎖線の矢印はＢＬＥ通信を示し、実線の矢印は有線通信を示し、点線は移動通信システムで利用されるＬＴＥ等の無線通信を示す。
【０１５０】
この例において、まず、情報端末１０３と蓄電装置１０１とは、互いにＢＬＥ通信の無線接続を確立する（Ｓ６０１）。次に、蓄電装置１０１が充電装置１０２に装着されることにより、蓄電装置１０１と充電装置１０２とは、互いに有線通信の接続を確立する（Ｓ６０２）。
【０１５１】
次に、アクセスポイント１０４は、アクセスポイント１０４の情報であるアクセスポイント情報を充電装置１０２へ送信する。充電装置１０２は、アクセスポイント１０４からアクセスポイント情報を受信する（Ｓ６０３）。次に、充電装置１０２は、蓄電装置１０１へアクセスポイント情報を送信する。蓄電装置１０１は、充電装置１０２からアクセスポイント情報を受信する（Ｓ６０４）。
【０１５２】
次に、蓄電装置１０１は、情報端末１０３へアクセスポイント情報を送信する。情報端末１０３は、蓄電装置１０１からアクセスポイント情報を受信する（Ｓ６０５）。次に、情報端末１０３は、情報端末１０３の操作インタフェースを介して、設定情報を取得する（Ｓ６０６）。情報端末１０３は、取得した設定情報を用いて、アクセスポイント１０４とのＷｉ−Ｆｉ通信の無線接続を確立してもよい。
【０１５３】
次に、情報端末１０３は、蓄電装置１０１へ設定情報を送信し、蓄電装置１０１は、設定情報を情報端末１０３から受信する（Ｓ６０７）。次に、蓄電装置１０１は、設定情報を充電装置１０２へ送信し、充電装置１０２は、設定情報を蓄電装置１０１から受信する（Ｓ６０８）。
【０１５４】
次に、充電装置１０２は、設定情報を用いて、アクセスポイント１０４とのＷｉ−Ｆｉ（登録商標）通信の無線接続を確立する（Ｓ６０９）。次に、蓄電装置１０１は、蓄電池１１１の状態を示す電池情報を充電装置１０２へ送信し、充電装置１０２は、電池情報を蓄電装置１０１から受信する（Ｓ６１０）。
【０１５５】
次に、充電装置１０２は、電池情報をアクセスポイント１０４へ送信し、アクセスポイント１０４は、電池情報を充電装置１０２から受信する（Ｓ６１１）。次に、アクセスポイント１０４は、電池情報をサーバ１０５へ送信し、サーバ１０５は、電池情報をアクセスポイント１０４から受信する（Ｓ６１２）。次に、サーバ１０５は、電池情報を受信したことを情報端末１０３へ通知する（Ｓ６１３）。
【０１５６】
なお、情報端末１０３と蓄電装置１０１との接続確立（Ｓ６０１）は、情報端末１０３と蓄電装置１０１との間で通信が行われる前であれば、どのようなタイミングで行われてもよい。また、蓄電装置１０１と充電装置１０２との接続確立（Ｓ６０２）は、蓄電装置１０１と充電装置１０２との間で通信が行われる前であれば、どのようなタイミングで行われてもよい。
【０１５７】
また、蓄電装置１０１から充電装置１０２への電池情報の送信（Ｓ６１０）は、蓄電装置１０１と充電装置１０２との接続確立（Ｓ６０２）の後であれば、より早い任意のタイミングで行われてもよい。また、蓄電装置１０１から充電装置１０２への設定情報の送信（Ｓ６０８）、および、蓄電装置１０１から充電装置１０２への電池情報の送信（Ｓ６１０）が同時に行われてもよい。
【０１５８】
図１１は、図９に示された蓄電装置１０１および充電装置１０２等の動作を示す概念図である。なお、図１１において、図１０と同様、１点鎖線の矢印はＷｉ−Ｆｉ（登録商標）通信を示し、２点鎖線の矢印はＢＬＥ通信を示し、実線の矢印は有線通信を示し、点線は移動通信システムで利用されるＬＴＥ等の無線通信を示す。
【０１５９】
図１１の（ａ）は、図１０のＳ６０１に対応する処理を示す。この処理において、情報端末１０３は、操作インタフェースを介して、蓄電装置１０１の名称およびＰＩＮの入力を受け付ける。そして、情報端末１０３は、蓄電装置１０１の名称およびＰＩＮに基づいて、蓄電装置１０１とのＢＬＥ通信の無線接続を確立する。
【０１６０】
図１１の（ｂ）は、図１０のＳ６０２に対応する処理を示す。この処理において、蓄電装置１０１は、充電装置１０２に装着される。そして、蓄電装置１０１と充電装置１０２とは、互いに有線通信の接続を確立する。
【０１６１】
図１１の（ｃ）は、図１０のＳ６０３、Ｓ６０４、Ｓ６０５、Ｓ６０６、Ｓ６０７およびＳ６０８に対応する処理を示す。この処理において、アクセスポイント１０４は、アクセスポイント１０４の情報であるアクセスポイント情報を充電装置１０２へ送信し、充電装置１０２は、アクセスポイント情報をアクセスポイント１０４から受信する。
【０１６２】
そして、充電装置１０２は、アクセスポイント情報を蓄電装置１０１へ送信し、蓄電装置１０１は、アクセスポイント情報を充電装置１０２から受信する。そして、蓄電装置１０１は、アクセスポイント情報を情報端末１０３へ送信し、情報端末１０３は、アクセスポイント情報を蓄電装置１０１から受信する。
【０１６３】
情報端末１０３は、アクセスポイント情報を蓄電装置１０１から受信した後の動作は、第１具体例と同じである。具体的には、情報端末１０３は、情報端末１０３の操作インタフェースを介して、設定情報を取得する。
【０１６４】
例えば、情報端末１０３は、アクセスポイント１０４とＷｉ−Ｆｉ（登録商標）通信を行うためのＳＳＩＤをアクセスポイント情報として受信し、ＳＳＩＤを表示する。そして、情報端末１０３は、アクセスポイント１０４とＷｉ−Ｆｉ（登録商標）通信を行うためのＳＳＩＤに対応するパスワード（ＰＷ）の入力を受け付ける。これにより、情報端末１０３は、ＳＳＩＤおよびパスワードを含む設定情報を取得する。なお、アクセスポイント情報および設定情報には、さらに、認証方式および暗号化方式等が含まれていてもよい。
【０１６５】
そして、情報端末１０３は、設定情報の送信の操作を受け付ける。そして、情報端末１０３は、蓄電装置１０１へ設定情報を送信し、蓄電装置１０１は、情報端末１０３から設定情報を受信する。そして、蓄電装置１０１は、充電装置１０２へ設定情報を送信し、充電装置１０２は、蓄電装置１０１から設定情報を受信する。
【０１６６】
図１１の（ｄ）は、図１０のＳ６０９、Ｓ６１０、Ｓ６１１およびＳ６１２に対応する処理を示す。この処理において、充電装置１０２は、設定情報を用いて、アクセスポイント１０４とのＷｉ−Ｆｉ（登録商標）通信の無線接続を確立する。そして、電池情報が、蓄電装置１０１から、充電装置１０２およびアクセスポイント１０４を介して、サーバ１０５へ送信される。
【０１６７】
図１１の（ｅ）は、図１０のＳ６１３に対応する処理を示す。この処理において、サーバ１０５は、サーバ１０５が電池情報を受信したことを示す通知を情報端末１０３へ送信する。情報端末１０３はその情報を受信して操作インタフェースに表示する。
【０１６８】
なお、サーバ１０５は、サーバ１０５が電池情報を受信したことを示す通知を情報端末１０３へアクセスポイント１０４を介して送信してもよい。つまり、サーバ１０５は、有線通信でアクセスポイント１０４へ通知を送信し、アクセスポイント１０４は、受信した通知をＷｉ−Ｆｉ（登録商標）通信で情報端末１０３へ送信してもよい。
【０１６９】
本具体例では、情報端末１０３が、アクセスポイント１０４から充電装置１０２および蓄電装置１０１を介してアクセスポイント情報を受信し、設定情報を取得する。そして、設定情報が、蓄電装置１０１を介して充電装置１０２に送信され、アクセスポイント１０４と充電装置１０２とのＷｉ−Ｆｉ（登録商標）通信の無線接続の確立に用いられる。これにより、電池情報を蓄電装置１０１からサーバ１０５へ送信するための無線通信の環境が適切に構築される。
【０１７０】
第１具体例では、情報端末１０３が、無線接続が確立されていない状態のＷｉ−Ｆｉ（登録商標）通信等によって、アクセスポイント１０４から、直接、アクセスポイント情報を受信する。したがって、情報端末１０３は、よりシンプルにアクセスポイント情報を取得することができる。
【０１７１】
第２具体例では、情報端末１０３が、アクセスポイント１０４から、充電装置１０２および蓄電装置１０１を介して、アクセスポイント情報を受信する。したがって、情報端末１０３は、Ｗｉ−Ｆｉ（登録商標）通信を行うことができなくても、アクセスポイント情報を取得することができる。また、例えば、情報端末１０３は、蓄電装置１０１が充電装置１０２に装着されたタイミング等の適切なタイミングでアクセスポイント情報を取得することができる。
【０１７２】
また、第１具体例および第２具体例に関して、蓄電装置１０１と情報端末１０３との間でＢＬＥ通信の無線接続が、蓄電装置１０１から情報端末１０３へ電池情報を送信するため、予め確立されていてもよい。そして、蓄電装置１０１と情報端末１０３との間において予め確立された無線接続が、充電装置１０２とアクセスポイント１０４との無線接続を確立するため、利用されてもよい。
【０１７３】
また、情報端末１０３とアクセスポイント１０４との間でＷｉ−Ｆｉ（登録商標）通信の無線接続が、情報端末１０３が通信網１０６等にアクセスするため、予め確立されていてもよい。そして、情報端末１０３とアクセスポイント１０４との間において予め確立された無線接続が、充電装置１０２とアクセスポイント１０４との無線接続を確立するため、利用されてもよい。
【０１７４】
例えば、情報端末１０３は、アクセスポイント１０４とのＷｉ−Ｆｉ（登録商標）通信のための設定情報を予め有していてもよい。そして、充電装置１０２とアクセスポイント１０４との無線接続を確立するため、情報端末１０３は、新たに設定情報の入力を受け付けずに、予め有している設定情報を蓄電装置１０１へ送信してもよい。その際、情報端末１０３は、送信の指示の入力を受け付けて、予め有している設定情報を蓄電装置１０１へ送信してもよい。
【０１７５】
また、Ｗｉ−Ｆｉ（登録商標）通信およびＢＬＥ通信は、例であって、その他の通信方式が用いられてもよい。ただし、持ち運び可能な蓄電装置１０１は、屋内に設置されている充電装置１０２と比較して、通信のための十分な電力が常に得られるとは限らない。したがって、蓄電装置１０１の第２通信器１１４の消費電力は、充電装置１０２の第３通信器１２４の消費電力よりも小さい方がよい。
【０１７６】
以上のように、本開示における蓄電装置等によって、無線通信を利用するための環境の構築が支援される。
【０１７７】
なお、上記実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行器が、ハードディスクまたは半導体メモリなどの記録媒体に記録されたソフトウェアプログラムを読み出して実行することによって実現されてもよい。ここで、上記実施の形態の蓄電装置などを実現するソフトウェアは、次のようなプログラムである。
【０１７８】
すなわち、このプログラムは、コンピュータに、蓄電装置の制御方法であって、充電装置が特定のアクセスポイントと無線接続を確立するための無線設定値を情報端末から前記情報端末と無線通信する第１通信器を介して受信するステップと、前記充電装置への前記蓄電装置の装着時に前記充電装置に通信接続される通信器であり前記充電装置と有線通信する通信器である第２通信器を介して、前記無線設定値を前記充電装置へ送信するステップとを備える蓄電装置の制御方法を実行させる。
【０１７９】
あるいは、このプログラムは、コンピュータに、充電装置の制御方法であって、前記充電装置が特定のアクセスポイントと無線接続を確立するための無線設定値を蓄電装置から、前記充電装置への前記蓄電装置の装着時に前記蓄電装置に通信接続される通信器であり前記蓄電装置と有線通信する通信器である第３通信器を介して受信するステップと、前記無線設定値を用いて、アクセスポイントと無線通信する第４通信器に前記特定のアクセスポイントとの無線接続を確立させるステップとを備える充電装置の制御方法を実行させる。
【０１８０】
また、上記実施の形態において、各構成要素は、回路でもよい。複数の構成要素が、全体として１つの回路を構成してもよいし、それぞれ別々の回路を構成してもよい。また、回路は、それぞれ、汎用的な回路でもよいし、専用の回路でもよい。
【０１８１】
以上、一つまたは複数の態様に係る蓄電装置などについて、実施の形態に基づいて説明したが、本開示は、この実施の形態に限定されるものではない。本開示の趣旨を逸脱しない限り、当業者が思いつく各種変形を本実施の形態に施したもの、及び異なる実施の形態における構成要素を組み合わせて構築される形態も、一つまたは複数の態様の範囲内に含まれてもよい。
【０１８２】
例えば、上記実施の形態において、特定の構成要素が実行する処理を特定の構成要素の代わりに別の構成要素が実行してもよい。また、複数の処理の順序が変更されてもよいし、複数の処理が並行して実行されてもよい。
【産業上の利用可能性】
【０１８３】
本開示は、蓄電装置または充電装置等に利用可能であり、蓄電装置の充電システム、および、蓄電装置の管理システム等に適用可能である。
【符号の説明】
【０１８４】
１００  無線接続設定システム
１０１  蓄電装置
１０２  充電装置
１０３  情報端末
１０４  アクセスポイント
１０５  サーバ
１０６  通信網
１１１  蓄電池
１１２、１２２  制御器
１１３  第１通信器
１１４  第２通信器
１１６  検知器
１１７  第１接続器
１２４  第３通信器
１２５  第４通信器
１２７  充電器
１２８  第２接続器
【図１】
0006788797.tif 000002
【図２】
0006788797.tif 000003
【図３】
0006788797.tif 000004
【図４】
0006788797.tif 000005
【図５】
0006788797.tif 000006
【図６】
0006788797.tif 000007
【図７】
0006788797.tif 000008
【図８】
0006788797.tif 000009
【図９】
0006788797.tif 000010
【図１０】
0006788797.tif 000011
【図１１】
0006788797.tif 000012